(57)【特許請求の範囲】
【請求項１】
表示デバイスにおける色度図上の白色点が異なる階調で揃うように、各色の画像信号に対し白色調整を行う白色調整デバイスに対し、前記白色点を変更するように、前記白色調整のゲインを変更させる白色調整制御デバイスであって、
ユーザの操作を受け付ける操作部と、
前記ユーザから前記操作部を介して指示された第１および第２の変量に対応する各色の第１および第２のゲインを取得し、取得した第１のゲインおよび第２のゲインを各色で乗算し、乗算の結果得られた各色の積の最大値が１となるように、各色の積を引き上げたものを、各色の前記白色調整のゲインとして前記白色調整デバイスに指示する制御手段とを備えることを特徴とする白色調整制御デバイス。
【請求項２】
第１の前記変量は、基準となる白色点である基準白色点から、前記色度図上の第１の曲線に沿って変位した量であり、
第２の前記変量は、第１の曲線と交わる前記色度図上の第２の曲線に沿って前記基準白色点から変位した量であり、
第１の変量と各色の前記白色調整の第１のゲインとの対応関係を示す第１の対応情報を記憶し、かつ、第２の変量と各色の前記白色調整の第２のゲインとの対応関係を示す第２の対応情報を記憶する記憶部をさらに備えており、
前記制御手段は、
前記ユーザから前記操作部を介して指示された第１および第２の変量に対応する各色の第１および第２のゲインを、第１および第２の対応情報を参照してそれぞれ取得するゲイン取得手段と、
該ゲイン取得手段が取得した第１のゲインおよび第２のゲインを各色で乗算する乗算手段と、
該乗算手段による各色の積の最大値を特定する特定手段と、
該特定手段が特定した最大値が１となるように、各色の積を引き上げる引上手段と、
該引上手段が引き上げた各色の積を、各色の前記白色調整のゲインとして前記白色調整デバイスに指示するゲイン指示手段とを備えることを特徴とする請求項１に記載の白色調整制御デバイス。
【請求項３】
第１の前記変量は、基準となる白色点である基準白色点から、前記色度図上の第１の曲線に沿って変位した量であり、
第２の前記変量は、第１の曲線と交わる前記色度図上の第２の曲線に沿って前記基準白色点から変位した量であり、
第１の変量と、第２の変量と、各色の前記白色調整のゲインの対応関係を示す二変位対応情報を記憶する記憶部をさらに備えており、
前記制御手段は、
前記ユーザから前記操作部を介して指示された第１および第２の変量に対応する各色の前記ゲインを、前記二変位対応情報を参照して取得するゲイン取得手段と、
該ゲイン取得手段が取得した各色の前記ゲインを前記白色調整デバイスに指示するゲイン指示手段とを備えており、
前記二変位対応情報における各色の前記ゲインは、第１の変量および第１のゲインの対応関係を示す第１の対応情報と、第２の変量および第２のゲインの対応関係を示す第２の対応情報とを参照して、前記ユーザから前記操作部を介して指示された第１および第２の変量に対応する各色の第１および第２のゲインが取得され、取得された第１のゲインおよび第２のゲインが各色で乗算され、乗算の結果得られた各色の積の最大値が１となるように、各色の積が引き上げられたものであることを特徴とする請求項１に記載の白色調整制御デバイス。
【請求項４】
第１の曲線は黒体軌跡であり、第１の変量は色温度であることを特徴とする請求項２ま
たは３に記載の白色調整制御デバイス。
【請求項５】
第２の曲線は等色温度線であり、第２の変位量は黒体軌跡からの偏差であることを特徴とする請求項４に記載の白色調整制御デバイス。
【請求項６】
各色は、赤色、緑色、および青色であることを特徴とする請求項１から５までの何れか１項に記載の白色調整制御デバイス。
【請求項７】
表示デバイスと、該表示デバイスにおける色度図上の白色点が異なる階調で揃うように、各色の画像信号に対し白色調整を行う白色調整デバイスと、該白色調整デバイスに対し、前記白色点を変更するように、前記白色調整のゲインを変更させる白色調整制御デバイスとを備える表示装置であって、
前記白色調整制御デバイスは、請求項１から６までの何れか１項に記載の白色調整制御デバイスであることを特徴とする表示装置。
【請求項８】
前記表示デバイスは、液晶型であることを特徴とする請求項７に記載の表示装置。
【請求項９】
テレビジョン受像機であることを特徴とする請求項７または８に記載の表示装置。
【請求項１０】
請求項１から６までの何れか１項に記載の白色調整制御デバイスを動作させるための制御プログラムであって、コンピュータを上記各手段として機能させるための制御プログラム。
【請求項１１】
請求項１０に記載の制御プログラムが記録されたコンピュータ読取り可能な記録媒体。
【請求項１２】
表示デバイスにおける色度図上の白色点が異なる階調で揃うように、各色の画像信号に対し白色調整を行う白色調整デバイスに対し、前記白色点を変更するように、前記白色調整のゲインを変更させる白色調整制御デバイスの制御方法であって、
ユーザから操作部を介して指示された第１および第２の変量に対応する各色の第１および第２のゲインを取得し、取得された第１のゲインおよび第２のゲインを各色で乗算し、乗算の結果得られた各色の積の最大値が１となるように、各色の積を引き上げたものを、各色の前記白色調整のゲインとして前記白色調整デバイスに指示する制御ステップを含むことを特徴とする白色調整制御デバイスの制御方法。
【発明の詳細な説明】
【技術分野】
【０００１】
本発明は、表示デバイスにおける色度図上の白色点が異なる階調で揃うように、各色の画像信号に対し白色調整を行う白色調整デバイスに対し、前記白色点を変更するように、前記白色調整のゲインを変更させる白色調整制御デバイス、その制御方法、制御プログラム、および記録媒体、並びに、表示装置に関するものである。
【背景技術】
【０００２】
例えばＰＣ（Personal Computer）用モニタ、液晶型テレビジョン受像機（以下、「液晶テレビ」と略称する。）などの表示装置は、その製造工程において白色調整（ホワイトバランス）が行われる。具体的には、Ｒ（赤）Ｇ（緑）Ｂ（青）各色の発色具合が調整され、上記表示装置の表示画面において適正な白色が表示されるようにしている。例えば、製造工程中において所定階調の映像を上記表示画面に表示させ、該表示画面をセンサで検出して、ＣＩＥ色度図上の座標値（ｘ，ｙ）を測定する。そして、測定された座標値に基づいて、該座標値が所定の目標値となるようにＲＧＢの各色について調整を行う。該調整は、入力映像信号の階調に対する出力階調値を規定するＲＧＢの変換テーブルにおけるゲインやカットオフ値を調整することにより行われる。
【０００３】
一例として、画像の階調が８ビットの２５６階調であるとき、やや暗いグレー（例えば６４階調）と明るいグレー（例えば２００階調）を画面に表示し、暗いグレーの階調においてオフセットを調整し、明るいグレーの階調においてゲイン値を調整する。これにより表示装置における最適な白色点（ホワイトポイント）にて白色調整が行われ、その調整値が保存される。
【０００４】
近時の表示装置では、製造工程で予め設定された白色点をユーザが設定可能なものが存在する。このような表示装置では、例えば、ＲＧＢの各ゲインと各オフセットとを調整するためのユーザＩ／Ｆ（インタフェース）の画面が表示される。そして、ユーザは、リモートコントローラ（リモコン）などの入力デバイスを用いることにより、上記ＲＧＢの各ゲインと各オフセットとを任意に調整できるようになっている。
【０００５】
また、多くのＰＣ用モニタ、液晶テレビ等においては、白色点の色温度をユーザが選択できるようになっている。例えば、液晶テレビでは、複数の標準的な色温度設定が予め用意され、ユーザはこれらの色温度を任意に選択できるようになっている。さらに、ＰＣ用モニタなどの表示装置には、上記複数の標準的な色温度設定の選択に加えて、ユーザによる色温度の調整が可能なものが存在する。
【０００６】
該色温度の調整が可能な表示装置では、例えば、赤（Ｒ）および青（Ｂ）のゲイン調整が可能であり、かつ、離散的に５段階程度の色温度設定が可能となっている。これにより、例えば、白色点の色温度を、青みがかった白（高い色温度）から、赤みがかった白（低い色温度）の間で予め用意された複数の色温度の中から、ユーザが任意の色温度を選択できるようになっている。
【０００７】
また、特許文献１に記載の画像表示装置では、画面上に色見本とカーソルとを表示し、使用者からの入力に応じカーソルの位置を動かし、使用者から決定のための入力があったときのカーソルの位置に応じてＲＧＢゲイン調整している。
【０００８】
また、特許文献２に記載の表示装置では、色温度調整用の設定画面において、予め設定された複数の色温度設定を選択する色温度選択部と、ＲＧＢゲインの設定部が表示される。上記色温度設定が選択された場合、選択された色温度設定に対応するＲＧＢ変換テーブルデータを使用して入力信号の変換を行う。一方、ＲＧＢゲインの設定部に表示されているスライドバーが操作された場合、該操作に応じて、ＲＧＢ調整値が変更される。
【０００９】
また、特許文献３に記載の画像処理装置は、画像の白色調整の補正値を求める第１の計算手段と、第１および第２の直交軸を有する色度図における黒体軌跡に沿った方向に補正値を調整するための指定値を受け付ける指定手段と、複数の指定値とそれぞれ第１の軸に沿った複数の第１の調整量とが対応付けられた調整情報を記憶する記憶手段と、指定手段により受け付けられた指定値と調整情報とにより前記第１の軸に沿った第１の調整量を決定し、色度図における補正値の黒体軌跡からの距離が一定に保たれるように補正値と第１の調整量とに応じて第２の調整量を決定し、第１の調整量と第２の調整量とに応じて補正値を黒体軌跡に沿った方向に調整し、調整された補正値に応じて前記画像の白色調整を補正する補正手段とを備えている。これにより、色温度に関する意図を画像に反映される場合の精度を向上させることができる。
【先行技術文献】
【特許文献】
【００１０】
【特許文献１】特開２００１−１７７８４６号公報（２００１年０６月２９日）
【特許文献２】特開２００９−１１１８６８号公報（２００９年０５月２１日）
【特許文献３】特開２０１１−０４０９７５号公報（２０１１年０２月２４日）
【発明の概要】
【発明が解決しようとする課題】
【００１１】
特許文献１・２に記載の表示装置の場合、色度図における黒体軌跡から白色点が外れるにつれて、上記ゲインが１より小さくなる。この場合、入力信号が最大階調でも、出力信号が最大階調から低下することになり、表示画像の輝度が低下することになる。また、特許文献３に記載の画像処理装置の場合、黒体軌跡に沿った方向に調整されるので、表示画像の輝度が低下することを抑制できるが、多くの処理を必要とするため、白色点の変更が表示画像に反映されるまで時間がかかることになる。
【００１２】
本発明は、上記の問題点に鑑みてなされたものであり、その目的は、白色点の変更による画面全体の輝度の低下を簡便に抑えることができる白色調整制御デバイスなどを提供することにある。
【課題を解決するための手段】
【００１３】
本発明に係る白色調整制御デバイスは、表示デバイスにおける色度図上の白色点が異なる階調で揃うように、各色の画像信号に対し白色調整を行う白色調整デバイスに対し、前記白色点を変更するように、前記白色調整のゲインを変更させる白色調整制御デバイスであって、上記課題を解決するために、ユーザの操作を受け付ける操作部と、前記ユーザから前記操作部を介して指示された、少なくとも２つの変量に対応する各色の前記ゲインを取得するゲイン取得手段と、該ゲイン取得手段が取得した各色の前記ゲインについて、最大値を１として、前記白色調整デバイスに指示するゲイン指示手段とを備えることを特徴としている。
【００１４】
また、本発明に係る白色調整制御デバイスの制御方法は、表示デバイスにおける色度図上の白色点が異なる階調で揃うように、各色の画像信号に対し白色調整を行う白色調整デバイスに対し、前記白色点を変更するように、前記白色調整のゲインを変更させる白色調整制御デバイスの制御方法であって、上記課題を解決するために、ユーザから操作部を介して指示された、少なくとも２つの変量に対応する各色の前記ゲインを取得するゲイン取得ステップと、該ゲイン取得ステップにて取得された各色の前記ゲインについて、最大値を１として、前記白色調整デバイスに指示するゲイン指示ステップとを含むことを特徴としている。
【００１５】
上記の構成および方法によると、ユーザから操作部を介して指示された、少なくとも２つの変量に対応する各色の白色調整のゲインを取得し、取得された各色の上記ゲインについて、最大値を１として、白色調整デバイスに指示している。従って、ユーザが上記変量をどのように指示しても、上記白色調整デバイスに指示される各色の上記ゲインの最大値が１となるので、表示デバイスに表示される画像の輝度が低下することを抑制できる。
【００１６】
また、各色の上記ゲインの最大値を１にするには、上記少なくとも２つの変量に対応する各色の上記ゲインに対し、該ゲインの最大値で除算したり、該最大値と１との差分を加算したりすればよい。或いは、上記少なくとも２つの変量と、各色の上記ゲインの最大値が１であるような各色の上記ゲインとを予め対応付けて記憶しておけばよい。このように、各色の上記ゲインの最大値が１であるような各色の上記ゲインは、簡便に取得することができる。その結果、白色点の変更を表示画像に迅速に反映させることができる。
【００１７】
なお、上記少なくとも２つの変量は、赤色、緑色、および青色の三原色など、各色の上記ゲインそのものであってもよいし、色度図における色度座標（ｘ，ｙ）であってもよい。さらに、上記色度図における交わる２つの曲線に沿って変位した量であってもよい。
【００１８】
ところで、本願発明者らは、特許文献２に記載の表示装置の改良を検討してきた。上記表示装置では、ＲＧＢ３つのゲインを独立して設定することが可能であり、ユーザにとって煩雑である。そこで、色度図上の交わる２曲線に沿った方向に白色点を調整することにより、ＲＧＢのゲインを設定することを考えた。この場合、設定項目が２つとなるので、ユーザは容易に設定することができる。
【００１９】
上記２曲線の一方向に沿って白色点を変更すると、各ＲＧＢのゲインが変更され、さらに、他方向に沿って白色点を変更すると、各ＲＧＢのゲインが変更される。この場合、各ＲＧＢのゲインは乗算されることになる。一方、上記ゲインは、入力信号の最大階調付近で出力信号の階調が飽和しないように、０以上１以下であることが望ましい。このため、乗算して得られた各ＲＧＢのゲインの積は、１未満となる可能性がある。この場合、入力信号が最大階調でも、出力信号が最大階調から低下することになり、表示画像の輝度が低下することになる。
【００２０】
そこで、本発明に係る白色調整制御デバイスでは、第１の前記変量は、基準となる白色点である基準白色点から、前記色度図上の第１の曲線に沿って変位した量であり、第２の前記変量は、第１の曲線と交わる前記色度図上の第２の曲線に沿って前記基準白色点から変位した量であり、第１の変量と各色の前記白色調整の第１のゲインとの対応関係を示す第１の対応情報を記憶し、かつ、第２の変量と各色の前記白色調整の第２のゲインとの対応関係を示す第２の対応情報を記憶する記憶部をさらに備えており、前記ゲイン取得手段は、前記ユーザから前記操作部を介して指示された第１および第２の変量に対応する各色の第１および第２のゲインを、第１および第２の対応情報を参照してそれぞれ取得しており、該ゲイン取得手段が取得した第１のゲインおよび第２のゲインを各色で乗算する乗算手段と、該乗算手段による各色の積の最大値を特定する特定手段と、該特定手段が特定した最大値が１となるように、各色の積を引き上げる引上手段とをさらに備えており、前記ゲイン指示手段は、該引上手段が引き上げた各色の積を、各色の前記白色調整のゲインとして前記白色調整デバイスに指示してもよい。
【００２１】
この場合、各色の積を、最大値が１となるように引き上げている。これにより、白色調整デバイスによる調整後の各色の画像信号の階調が低下することを抑制できる。その結果、表示デバイスに表示される画像の輝度が低下することを抑制できる。なお、各色の積を、最大値が１となるように引き上げる方法としては、各色の積を上記最大値で除算したり、該最大値と１との差分を各色の積に加算したりすることが挙げられる。
【００２２】
また、本発明に係る白色調整制御デバイスでは、第１の前記変量は、基準となる白色点である基準白色点から、前記色度図上の第１の曲線に沿って変位した量であり、第２の前記変量は、第１の曲線と交わる前記色度図上の第２の曲線に沿って前記基準白色点から変位した量であり、第１の変量と、第２の変量と、各色の前記白色調整のゲインの対応関係を示す二変位対応情報を記憶する記憶部をさらに備えており、前記ゲイン取得手段は、前記ユーザから前記操作部を介して指示された第１および第２の変量に対応する各色の前記ゲインを、前記二変位対応情報を参照して取得しており、前記ゲイン指示手段は、該ゲイン取得手段が取得した各色の前記ゲインを前記白色調整デバイスに指示しており、前記二変位対応情報における各色の前記ゲインは、第１の変量および第１のゲインの対応関係を示す第１の対応情報と、第２の変量および第２のゲインの対応関係を示す第２の対応情報とを参照して、前記ユーザから前記操作部を介して指示された第１および第２の変量に対応する各色の第１および第２のゲインが取得され、取得された第１のゲインおよび第２のゲインが各色で乗算され、乗算の結果得られた各色の積の最大値が１となるように、各色の積が引き上げられたものであってもよい。
【００２３】
この場合も、上述と同様の効果を奏することができ、さらに、装置の構成および動作を簡略化することができる。
【００２４】
なお、第１の曲線の例としては、黒体軌跡が挙げられ、第１の変位量の例としては色温度が挙げられる。また、第２の曲線の例としては、等色温度線が挙げられ、第２の変位量の例としては、黒体軌跡からの偏差が挙げられる。また、上記各色は、赤色、緑色、および青色の三原色であることが好ましい。
【００２５】
なお、表示デバイスと、該表示デバイスにおける色度図上の白色点が異なる階調で揃うように、各色の画像信号に対し白色調整を行う白色調整デバイスと、該白色調整デバイスに対し、前記白色点を変更するように、前記白色調整のゲインを変更させる白色調整制御デバイスとを備える表示装置であって、前記白色調整制御デバイスは、上記構成の白色調整制御デバイスであれば、上述と同様の効果を奏する。
【００２６】
なお、前記表示デバイスは、液晶型であることが好ましい。また、前記表示装置は、テレビジョン受像機であってもよい。
【００２７】
なお、上記白色調整制御デバイスの各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００２８】
以上のように、本発明に係る白色調整制御デバイスは、ユーザが少なくとも２つの変量をどのように指示しても、白色調整デバイスに指示される各色の白色調整のゲインの最大値が１となるので、表示デバイスに表示される画像の輝度の低下を簡便に抑制できるという効果を奏する。
【図面の簡単な説明】
【００２９】
【図１】本発明の一実施形態である液晶テレビにおける白色点の変更処理の流れを示すフローチャートである。
【図２】上記液晶テレビの概略構成を示すブロック図である。
【図３】或る液晶モジュールにおいて最も理想的な白色調整が実現された場合における入力信号の階調と出力信号の階調との対応関係をＲＧＢごとに示すグラフである。
【図４】上記液晶モジュールにおいて、上記白色点を変更した場合における入力信号の階調と出力信号の階調との対応関係の一例をＲＧＢごとに示すグラフである。
【図５】一般的な色度図である。
【図６】上記色度図の一部を拡大して示す図である。
【図７】上記色度図における色温度および偏差と各ＲＧＢの係数との対応テーブルをそれぞれ表形式で示す図である。
【図８】上記液晶テレビにおいて、ユーザが上記白色点を設定するため表示される設定画面の一例を示す図である。
【図９】上記液晶テレビにおいて、上記白色点の変更に利用される構成の概要を示すブロック図である。
【図１０】上記液晶テレビにおけるユーザ設定の処理の流れの一例を示すフローチャートである。
【発明を実施するための形態】
【００３０】
本発明の一実施形態について、図１〜図１０を参照して説明する。図２は、本実施形態である液晶テレビ（表示装置）の概略構成を示すブロック図である。図示のように、液晶テレビ１は、アンテナ１０、チューナ１１、外部入力端子１２、ＡＶセレクタ１３、分離部１４、デコーダ部１５、音声処理部１６、スピーカ１７、ビデオプロセッサ（白色調整デバイス）１８、メモリ１９、および液晶モジュール（表示デバイス）２０を備える構成である。
【００３１】
図２に示すように、ＡＶセレクタ１３は、アンテナ１０で受信してチューナ１１で選局され復調された放送受信信号と、外部機器等から外部入力端子１２に入力された外部入力信号との何れかを選択する。分離部１４は、ＡＶセレクタ１３が選択した信号を、映像信号（画像信号）、データ信号、音声信号等に分離する。上記データ信号には、ＥＰＧ（電子番組表）の番組情報、ＯＳＤ（On Screen Display）表示用のコード信号などが含まれる。
【００３２】
デコーダ部１５は、分離部１４が分離した各種信号に対してデコード処理を行う。デコーダ部１５にてデコード処理された音声信号は、音声処理部１６にて音声処理され、スピーカ１７を介して音声出力される。
【００３３】
一方、デコーダ部１５にてデコード処理された映像信号およびデータ信号は、ビデオプロセッサ１８に送信される。ビデオプロセッサ１８は、映像信号処理部１８１と映像信号調整部１８２とを有している。映像信号処理部１８１は、ＡＤＣ（Ａ／Ｄ変換処理）、ＹＣ分離処理、ＩＰ変換処理、マトリクス変換処理、その他の映像処理を適宜実行し、映像のＲＧＢ信号を映像信号調整部１８２に送信する。
【００３４】
映像信号調整部１８２は、白色調整処理、ガンマ補正処理などにより設定された調整値に基づいて、映像信号処理部１８１からの映像のＲＧＢ信号を調整する。映像信号調整部１８２は、調整したＲＧＢ信号を液晶モジュール２０に送信する。上記調整値としては、映像信号の入力階調と出力階調とをＲＧＢ毎に対応付けたＲＧＢ変換テーブルデータが用いられ、ＥＥＰＲＯＭなどの不揮発性メモリ１９に記憶されている。上記ＲＧＢ変換テーブルは、製造工程において予め設定され、さらに、出荷後においてもユーザによって設定可能である。なお、この設定の詳細については後述する。
【００３５】
液晶モジュール２０は、液晶パネル、バックライト、および駆動回路を備えている。該駆動回路は、上記バックライトを駆動することにより発光させる。また、上記駆動回路は、映像信号調整部１８２にて調整された映像のＲＧＢ信号に従って上記液晶パネルを駆動することにより、上記バックライトからの光が変調されて、上記映像が表示される。上記バックライトとしては、一般的な冷陰極管（ＣＣＦＬ）、ＬＥＤ（Light Emitting Diode）、冷陰極管とＬＥＤとを併用したハイブリッドタイプのものなどが使用される。
【００３６】
ここで、白色調整について説明する。液晶モジュール２０が備える液晶パネルは、入力される階調によって白色（無彩色）の色度が変化するという特性を有している。例えば、（Ｒ，Ｇ，Ｂ）＝（１２８，１２８，１２８）という階調が入力された液晶モジュール２０が発する色度と、（Ｒ，Ｇ，Ｂ）＝（２５５，２５５，２５５）という階調が入力された液晶モジュール２０が発する色度とは、異なることが多い。
【００３７】
そこで、映像信号調整部１８２は、入力信号の全階調にわたって、出力階調の白色の色度（白色点）が同じになるように、白色調整を行っている。図３は、或る液晶モジュール２０において最も理想的な白色調整が実現された場合における入力信号の階調と出力信号の階調との対応関係をＲＧＢごとに示すグラフである。図示のように、出力信号の階調Ｏｕｔは、入力信号の階調Ｉｎの関数（変換関数）ｆ(Ｉｎ)で表される。すなわち、Ｏｕｔ＝ｆ(Ｉｎ)となる。図示のグラフに対応するＲＧＢ変換テーブルが不揮発性メモリ１９に記憶される。
【００３８】
本実施形態の液晶テレビ１では、上記白色点がユーザによって設定可能であるが、上記白色点の変更は、上記白色調整を損なうことなく行われる必要がある。そこで、本実施形態では、ユーザが係数（ゲイン）ｇをＲＧＢごとに設定し、該係数（ゲイン）ｇと上記変換関数ｆ(Ｉｎ)とを乗算したものを、上記白色点の変更後の変換関数ｆ´(Ｉｎ)とすることにより、上記白色点の変更を行っている。
【００３９】
具体的には、各ＲＧＢについて、図３に示す変換関数をそれぞれｆＲ(Ｉｎ)、ｆＧ(Ｉｎ)、ｆＢ(Ｉｎ)とし、上記係数をそれぞれｇＲ、ｇＧ、ｇＢとすると、上記白色点の変更後の出力信号の階調ＯｕｔＲ、ＯｕｔＧ、ＯｕｔＢは次式で表される。
ＯｕｔＲ＝ｆ´Ｒ(Ｉｎ)＝ｇＲ×ｆＲ(Ｉｎ)、
ＯｕｔＧ＝ｆ´Ｇ(Ｉｎ)＝ｇＧ×ｆＧ(Ｉｎ)、
ＯｕｔＢ＝ｆ´Ｂ(Ｉｎ)＝ｇＢ×ｆＢ(Ｉｎ)。
【００４０】
図４は、上記液晶モジュール２０において、上記白色点を変更した場合における入力信号の階調と出力信号の階調との対応関係の一例をＲＧＢごとに示すグラフである。図示の変換関数ｆ´Ｒ(Ｉｎ)、ｆ´Ｇ(Ｉｎ)、ｆ´Ｂ(Ｉｎ)は、それぞれ、図３に示す変換関数ｆＲ(Ｉｎ)、ｆＧ(Ｉｎ)、ｆＢ(Ｉｎ)に対し、係数ｇＲ＝０．８、ｇＧ＝１．１、ｇＢ＝０．８を乗算したものとなっている。上記白色点の変更後には、図４に示すグラフに対応するＲＧＢ変換テーブルが不揮発性メモリ１９に記憶されることになる。
【００４１】
ところで、図４に示すグラフでは、Ｇの変換関数ｆ´Ｇは、入力信号の階調の最大値付近で、出力信号の階調の最大値を超えている。この場合、入力信号の階調が最大値付近であるとき、入力信号の階調が変化しても、出力信号の階調は最大値のままで変化しないことになり、好ましくない。そこで、本実施形態では、上記係数ｇは１以下としている。
【００４２】
図５は一般的な色度図でる。図示の色度図には、黒体軌跡ＰＬ、および、該黒体軌跡と垂直に交わる等色温度線ＩＬとが記載されている。上記色度図における黒体軌跡ＰＬから白色点が外れるにつれて、上記係数ｇが１より小さくなる。この場合、入力信号が最大階調でも、出力信号が最大階調から低下することになり、表示画像の輝度が低下することになる。
【００４３】
そこで、本実施形態では、上記白色点の変更後の各ＲＧＢの係数ｇに基づき、最大値が１である各ＲＧＢの係数ｇを求め、求めた係数ｇを用いて、上記白色点の変更後のＲＧＢ変換テーブルを不揮発性メモリ１９に記憶している。これにより、ユーザが上記白色点をどのように変更しても、最大値が１である各ＲＧＢの係数ｇによるＲＧＢ変換テーブルに更新されるので、表示画像の輝度が低下することを抑制できる。
【００４４】
また、各ＲＧＢの係数ｇの最大値を１にするには、各ＲＧＢの係数ｇに対し、該係数ｇの最大値で除算したり、該最大値と１との差分を加算したりすればよい。このように、最大値が１である各ＲＧＢの係数ｇは、簡便に取得することができるので、上記白色点の変更を表示画像に迅速に反映させることができる。
【００４５】
この点をさらに具体的に説明する。図６は、図５に示す色度図の一部を拡大して示す図である。図６には、黒体軌跡ＰＬおよび等色温度線ＩＬに沿った離散点が丸印を付して示されている。本実施形態では、上記離散点が、ユーザによって設定可能な白色点となっている。黒体軌跡ＰＬに沿った変位量は、色温度で表すことができ、等色温度線に沿った変位量は、黒体軌跡ＰＬからの偏差で表すことができる。従って、上記離散点は、上記色温度と上記偏差とで表すことができる。
【００４６】
図７の（ａ）および（ｂ）は、上記色温度および上記偏差と各ＲＧＢの係数ｇとの対応テーブルをそれぞれ表形式で示す図である。図示の例では、１２個の色温度と７個の偏差とが設定可能であり、１２×７＝８４個の離散点が設定可能である。また、上述のように、係数ｇは０以上１以下の値となっている。なお、図示の例えば「＋0.015Δｕｖ」は、上記白色点の黒体軌跡からの偏差が、ｕｖ色度図上で＋0.015であることを意味している。
【００４７】
各離散点における係数ｇは、対応する色温度の係数ｇと、対応する偏差の係数ｇとを、ＲＧＢごとに乗算することにより求めることができる。例えば、色温度が8000Ｋであり、偏差が＋0.005Δｕｖである場合、各ＲＧＢの係数ｇＲ、ｇＧ、ｇＢは、次式のように算出される。
ｇＲ＝1.000×0.946＝0.946、
ｇＧ＝0.918×1.000＝0.918、
ｇＢ＝0.821×0.975＝0.800。
【００４８】
しかしながら、この場合、各ＲＧＢの係数ｇＲ、ｇＧ、ｇＢは１未満となるので、液晶モジュール２０に表示される画像の輝度が低下することになる。そこで、本実施形態では、各ＲＧＢの係数ｇＲ、ｇＧ、ｇＢは、少なくとも１つが１となるように、値の引上げが行われている。この引上げは、各ＲＧＢの係数ｇＲ、ｇＧ、ｇＢの最大値で各ＲＧＢの係数ｇＲ、ｇＧ、ｇＢを除算することにより行うことができる。或いは、上記最大値と１との差分を各ＲＧＢの係数ｇＲ、ｇＧ、ｇＢに加算したりすることにより上記引上げを行ってもよい。
【００４９】
上記の例では、各ＲＧＢの係数ｇＲ、ｇＧ、ｇＢの最大値が0.946であるから、各ＲＧＢの係数ｇＲ、ｇＧ、ｇＢを上記最大値で除算すると、次式のように算出される。
ｇＲ＝0.946／0.946＝1.000、
ｇＧ＝0.918／0.946＝0.970、
ｇＢ＝0.800／0.946＝0.846。
これにより、上記輝度の低下を抑えることができる。
【００５０】
図８は、本実施形態の液晶テレビ１において、ユーザが上記白色点を設定するため表示される設定画面の一例を示す図である。この設定画面１００は、ユーザがリモコン等を介してメニュー選択を指示することにより表示される。設定画面１００の左側に表示される選択項目の中から、ユーザの操作によって“色温度”１０１が選択されると、中央から右側にかけて、上部に色温度選択部１０２が表示され、下部に黒体軌跡ＰＬおよび等色温度線ＩＬの方向の設定部１０４・１０５がそれぞれ表示される。
【００５１】
色温度選択部１０２には、予め定められた５点の色温度設定が示されている。ここでは、５点の色温度として、“高”、“高−中”、“中”、“中−低”、および“低”の５段階が設定されている。これらの色温度設定の値は、図７の（ａ）に示すＨｉｇｈ（12000Ｋ）、ＭｉｄＨｉｇｈ（10500Ｋ）、Ｍｉｄ（9300Ｋ）、ＭｉｄＬｏｗ（8000Ｋ）、およびＬｏｗ（6500Ｋ）にそれぞれ対応している。
【００５２】
なお、図７の例では、色温度が12000Ｋであり、偏差が０である場合に、各ＲＧＢのゲインの積が全て1.00であるので、この場合の白色点が基準白色点となる。
【００５３】
ユーザは、リモコンなどの入力デバイスを用いて、上記５点の色温度設定の中から所望の色温度設定を選択することができる。この場合、選択された色温度に対応する各ＲＧＢの係数が、図７の（ａ）に示す対応テーブルから取得される。従って、ユーザは、選択頻度の高い色温度を容易に選択することができる。
【００５４】
また、ユーザは、リモコンなどの入力デバイスを用いて、設定部１０４・１０５に表示されているスライドバー１０４ａ・１０５ａを任意に操作することにより、色温度および偏差を選択することができる。この場合、選択された色温度および偏差に対応する各ＲＧＢの係数が、図７の（ａ）・（ｂ）に示す対応テーブルからそれぞれ取得される。
【００５５】
図９は、液晶テレビ１において、上記白色点の変更に利用される構成の概要を示すブロック図である。図示のように、液晶テレビ１は、制御部（白色調整制御デバイス）２１、記憶部２２、および操作部２３をさらに備える構成である。
【００５６】
制御部２１は、液晶テレビ１内の各種構成を統括的に制御するものである。制御部２１の機能は、例えばＲＡＭ（Random Access Memory）やフラッシュメモリなどの記憶装置に記憶されたプログラムをＣＰＵ（Central Processing Unit）が実行することによって実現される。
【００５７】
記憶部２２は、各種データおよびプログラムを記憶するものである。記憶部２２の例としては、制御部２１が動作するときに必要なプログラム等の固定データを記憶する読出し専用の半導体メモリであるＲＯＭ（Read Only Memory）と、演算に使用するデータ、および演算結果等を一時的に記憶するいわゆるワーキングメモリとしてのＲＡＭと、各種の設定データ、などを記憶する大容量のＨＤＤ（Hard Disk Drive）とが挙げられる。
【００５８】
操作部２３は、入力デバイスを操作することにより、操作データを作成して制御部２１に送信するものである。上記入力デバイスの例としては、液晶テレビ１に設けられたボタンスイッチおよびタッチパネル、液晶テレビ１を遠隔操作するためのリモコンなどが挙げられる。
【００５９】
次に、制御部２１および記憶部２２の詳細について説明する。図９に示すように、制御部２１は、指示取得部２１０、色温度対応係数取得部（ゲイン取得手段）２１１、偏差対応係数取得部（ゲイン取得手段）２１２、乗算部（乗算手段）２１３、最大値特定部（特定手段）２１４、引上部（引上手段）２１５、および更新部（ゲイン指示手段）２１６を備える構成である。また、記憶部２２は、図７の（ａ）・（ｂ）に示す色温度用対応テーブル２２０および偏差用対応テーブル２２１をそれぞれ記憶しており、図３に示すような、製造工程にて作成されたデフォルトのＲＧＢ変換テーブル（デフォルト変換テーブル）２２２を記憶している。
【００６０】
指示取得部２１０は、ユーザからの指示を操作部２３を介して取得するものである。上記指示が、図８に示す色温度選択部１０２をユーザが選択したり、黒体軌跡方向のスライドバー１０４ａをユーザが操作したりするものである場合、指示取得部２１０は、当該指示を色温度対応係数取得部２１１に送出する。一方、上記指示が、等色温度線方向のスライドバー１０５ａをユーザが操作するものである場合、指示取得部２１０は、当該指示を偏差対応係数取得部２１２に送出する。
【００６１】
色温度対応係数取得部２１１は、指示取得部２１０からの指示に対応する色温度を特定し、特定した色温度に対応する各ＲＧＢの係数ｇを、記憶部２２の色温度用対応テーブル２２０から取得するものである。色温度対応係数取得部２１１は、取得した各ＲＧＢの係数ｇを乗算部２１３に送出する。
【００６２】
偏差対応係数取得部２１２は、指示取得部２１０からの指示に対応する偏差を特定し、特定した偏差に対応する各ＲＧＢの係数ｇを、記憶部２２の偏差用対応テーブル２２１から取得するものである。偏差対応係数取得部２１２は、取得した各ＲＧＢの係数ｇを乗算部２１３に送出する。
【００６３】
乗算部２１３は、各ＲＧＢについて、色温度対応係数取得部２１１からの係数と、偏差対応係数取得部２１２からの係数とを乗算するものである。乗算部２１３は、乗算により得られた各ＲＧＢの積を最大値特定部２１４および引上部２１５に送出する。
【００６４】
最大値特定部２１４は、乗算部２１３から受け取った各ＲＧＢの積のうち最大値を特定するものである。最大値特定部２１４は、特定した最大値を引上部２１５に送出する。
【００６５】
引上部２１５は、乗算部２１３から受け取った各ＲＧＢの積について、少なくとも１つが１となるように値を引き上げるものである。引上部２１５は、引き上げた各ＲＧＢの値を、更新部２１６に送出する。
【００６６】
具体的には、引上部２１５は、乗算部２１３から受け取った各ＲＧＢの積を、最大値特定部２１４からの最大値で除算している。なお、上記最大値と１との差分を上記各ＲＧＢの積に加算してもよい。
【００６７】
更新部２１６は、引上部２１５が引き上げた各ＲＧＢの値と、記憶部２２のデフォルト変換テーブル２２２とに基づいて、不揮発性メモリ１９のＲＧＢ変換テーブル１９０を更新するものである。具体的には、更新部２１６は、各ＲＧＢについて、デフォルト変換テーブル２２２に含まれる出力信号の階調の値に対し、上記引き上げた値で乗算し、その結果作成される変換テーブルでＲＧＢ変換テーブル１９０を更新する。更新されたＲＧＢ変換テーブル１９０を利用して、映像信号調整部１８２は映像信号を調整することになる。
【００６８】
次に、上記構成の液晶テレビ１において、ユーザが各種の設定を行うユーザ設定の処理動作について説明する。図１０は、制御部２１が実行する上記ユーザ設定の処理の流れの一例を示すフローチャートである。
【００６９】
図１０に示すように、まず、ユーザによるメニュー表示要求等に従ってメニュー画面を表示させる（Ｓ１）。このメニュー画面は、図８の設定画面１００に遷移する前の上位階層のメニュー画面である。次に、ユーザの操作によって、映像調整項目が選択され（Ｓ２）、さらにプロ設定項目が選択され（Ｓ３）、該プロ設定項目の中から色温度項目が選択されるようになっている（Ｓ４）。
【００７０】
本実施例では、ステップＳ１のメニュー画面において、例えば“映像調整”、“音声調整”、“省エネ設定”、“本体設定”などの設定項目を選択でき、ここで“映像調整”を選ぶと、さらに映像の“明るさ”や“黒レベル”、“色の濃さ”、“色合い”などの調整項目に加えて“プロ設定”の項目を選択できるメニューが表示される。“プロ設定”は、映像を更にきめ細かく設定するための項目である。“プロ設定”を選択すると、例えば図５に示したような設定画面１００が表示される。ここで“色温度”を選択することにより、予め設定された複数の色温度設定が表示される。
【００７１】
このように、図１０の例では、ステップＳ１〜ステップＳ４の操作を行うことにより、目的とする色温度の調整が可能となるが、勿論このようなメニュー設定は一例にすぎない。本発明に係る実施形態では、ユーザ操作に従って、色温度設定の選択とこのときの調整値の変更設定とを可能とする画面を開くことができる構成となっていればよい。
【００７２】
ステップＳ４で色温度項目が選択されると、ユーザは、予め設定されている複数の色温度設定の中から、所望の色温度に最も近い色温度設定を選択する操作を行う（ステップＳ５）。
【００７３】
また、ユーザは、選択した色温度設定について、色温度方向および偏差方向の各ＲＧＢの係数をスライドバーによって調整する（ステップＳ６）。これにより、ユーザは、選択した色温度設定について予め設定されているＲＧＢの係数をさらに任意に変更し、所望の白色点に調整することができるようになる。
【００７４】
図１は、制御部２１にて行われる白色点の変更処理の流れを示すフローチャートである。図示のように、まず、指示取得部２１０がユーザからの指示を操作部２３を介して取得するまで待機する（Ｓ１０）。上記指示を取得すると、各ＲＧＢについて、色温度対応係数取得部２１１は、当該指示に基づき特定した色温度に対応する係数（色温度方向のゲイン）ｇを取得する一方、偏差対応係数取得部２１２は、当該指示に基づき特定した偏差に対応する係数（偏差方向のゲイン）ｇを取得する（ゲイン取得ステップ、Ｓ１１）。
【００７５】
次に、乗算部２１３は、各ＲＧＢについて、上記色温度に対応する係数と上記偏差に対応する係数との積を算出する（Ｓ１２）。次に、算出された各ＲＧＢの積について、最大値特定部２１４は最大値を特定し（Ｓ１３）、引上部２１５は、特定された最大値が上限値（１）となるように引き上げる（Ｓ１４）。次に、更新部２１６は、引き上げられた各ＲＧＢの積を各ＲＧＢのゲイン（係数）とし、デフォルト変換テーブル２２２を用いて、不揮発性メモリ１９のＲＧＢ変換テーブル１９０を更新する（ゲイン指示ステップ、Ｓ１５）。
【００７６】
そして、ユーザから設定終了の指示を操作部２３を介して取得するまでステップＳ１０に戻って上記動作を繰り返し、上記設定終了の指示を取得すると、白色点の変更処理を終了する。
【００７７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７８】
例えば、上記実施形態では、制御部２１は、色温度用対応テーブル２２０および偏差用対応テーブル２２１を利用して各種の計算を行い、各ＲＧＢの係数ｇを算出しているが、全ての上記離散点について予め算出した各ＲＧＢの係数ｇを、当該離散点の色温度および偏差と対応付けた二変位対応テーブル（二変位対応情報）を記憶部２２に記憶してもよい。
【００７９】
この場合、更新部２１６が、指示取得部２１０からの指示に対応する各ＲＧＢの係数ｇを、上記二変位対応テーブルから取得し、取得した各ＲＧＢの係数ｇとデフォルト変換テーブル２２２とを用いて不揮発性メモリ１９のＲＧＢ変換テーブル１９０を更新すればよい。これにより、記憶部２２から色温度用対応テーブル２２０および偏差用対応テーブル２２１を省略でき、制御部２１から色温度対応係数取得部２１１、偏差対応係数取得部２１２、乗算部２１３、最大値特定部２１４、および引上部２１５を省略できる。従って、装置の構成および動作を簡略化することができる。
【００８０】
また、上記実施形態では、設定可能な白色点（離散点）を、黒体軌跡ＰＬおよび等色温度線ＩＬに基づいて設定しているが、色度図におけるｘ軸・ｙ軸など、色度図上で交わる任意の２曲線に基づいて設定することもできる。さらには、設定可能な白色点（離散点）を、各ＲＧＢのゲインに基づいて設定してもよい。
【００８１】
また、上記実施形態では、本発明を液晶テレビ１に適用しているが、ＥＬ（Electroluminescence）ディスプレイ、ＰＤＰ（Plasma Display Panel）など、任意の表示デバイスを用いたテレビに適用でき、ＰＣのモニタなど、任意の表示装置に適用できる。
【００８２】
最後に、液晶テレビ１の各ブロック、特に制御部２１は、ハードウェアロジックによって構成してもよいし、次のようにＣＰＵを用いてソフトウェアによって実現してもよい。
【００８３】
すなわち、液晶テレビ１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである液晶テレビ１の制御プログラムのプログラムコード（実行形式プログラム、中間コードプログラム、ソースプログラム）をコンピュータで読み取り可能に記録した記録媒体を、上記液晶テレビ１に供給し、そのコンピュータ（またはＣＰＵやＭＰＵ）が記録媒体に記録されているプログラムコードを読み出し実行することによっても、達成可能である。
【００８４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８５】
また、液晶テレビ１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【００８６】
以上のように、ユーザが少なくとも２つの変量をどのように指示しても、白色調整デバイスに指示される各色の白色調整のゲインの最大値が１となるので、表示デバイスに表示される画像の輝度の低下を簡便に抑制できることから、テレビジョン受像機以外の任意の表示装置に本発明を適用することができる。
【符号の説明】
【００８７】
１  液晶テレビ
１０  アンテナ
１１  チューナ
１２  外部入力端子
１３  ＡＶセレクタ
１４  分離部
１５  デコーダ部
１６  音声処理部
１７  スピーカ
１８  ビデオプロセッサ（白色調整デバイス）
１９  不揮発性メモリ
２０  液晶モジュール（表示デバイス）
２１  制御部（白色調整制御デバイス）
２２  記憶部
２３  操作部
１００  設定画面
１０２  色温度選択部
１０４・１０５  設定部
１８１  映像信号処理部
１８２  映像信号調整部
１９０  ＲＧＢ変換テーブル
２１０  指示取得部
２１１  色温度対応係数取得部（ゲイン取得手段）
２１２  偏差対応係数取得部（ゲイン取得手段）
２１３  乗算部（乗算手段）
２１４  最大値特定部（特定手段）
２１５  引上部（引上手段）
２１６  更新部（ゲイン指示手段）
２２０  色温度用対応テーブル
２２１  偏差用対応テーブル
２２２  デフォルト変換テーブル
ＩＬ  等色温度線
ＰＬ  黒体軌跡
【要約】
【課題】白色点の変更による輝度の低下を抑える。
【解決手段】ユーザからの指示を取得すると（Ｓ１０）、各ＲＧＢについて、当該指示に基づき特定した色温度方向および偏差方向のゲインを取得し（Ｓ１１）、積を算出する（Ｓ１２）。各ＲＧＢの積について、最大値を特定し（Ｓ１３）、特定された最大値が１となるように引き上げて（Ｓ１４）、各ＲＧＢのゲインとし、ＲＧＢ変換テーブル１９０を更新する（Ｓ１５）。
【選択図】図１【図１】
0005194166.tif 000002
【図２】
0005194166.tif 000003
【図３】
0005194166.tif 000004
【図４】
0005194166.tif 000005
【図５】
0005194166.tif 000006
【図６】
0005194166.tif 000007
【図７】
0005194166.tif 000008
【図８】
0005194166.tif 000009
【図９】
0005194166.tif 000010
【図１０】
0005194166.tif 000011